(57)【要約】【課題】  地面や床面等を伝わって移動する小害虫を、移動箇所が曲面や垂直面等でも制約を受けることなく検出できるようにする。【解決手段】  小害虫１の通過を検出する検知部２と、この検知部２からの出力信号をカウントするカウンタ３と、このカウンタ３の計数値をデジタル表示する表示器４とを備える。上記の検知部２を、小害虫１の接触で通電する柔軟質の電極シートで形成する。この場合、電極シートは帯状に形成されているのが好ましい。また本考案は、携帯電話機７の接続用のジャック８と、このジャック８に接続されている携帯電話機７に、カウンタ３の計数値が設定値に至るとこの携帯電話機７に予め登録されている子機１０に電話するよう信号を出力する発信部９とを備えて形成されているのでも良い。【選択図】      図１
0003135594.tif 000002
【実用新案登録請求の範囲】
【請求項１】
小害虫の通過を検出する検知部と、この検知部からの出力信号をカウントするカウンタと、このカウンタの計数値をデジタル表示する表示器とを備え、上記の検知部が、小害虫の接触で通電する柔軟質の電極シートで形成されていることを特徴とする小害虫の検出装置。
【請求項２】
請求項１記載の小害虫の検出装置であって、電極シートが帯状に形成されていることを特徴とする小害虫の検出装置。
【請求項３】
請求項１又は２記載の小害虫の検出装置であって、携帯電話機の接続用のジャックと、このジャックに接続されている携帯電話機に、カウンタの計数値が設定値に至るとこの携帯電話機に予め登録されている子機に電話するよう信号を出力する発信部とを備えて形成されていることを特徴とする小害虫の検出装置。
【考案の詳細な説明】
【技術分野】
【０００１】
本考案は、小害虫の検出装置に関し、更に詳しくはゴキブリやシロアリ等の小害虫の数や居所等を調査するのに好適なよう形成した小害虫の検出装置に関するものである。
【背景技術】
【０００２】
食品工場や飲食店等は、衛生管理上、ゴキブリやシロアリ等の小害虫を確実に駆除することが求められる。この場合、最も大切なことは、効果的な場所に効果的な虫除け、殺虫手段を施すことにある。これは、衛生管理が重要なこの種の施設では、不用意に薬剤散布を行うと、施設内設備の稼働停止等のリスクを伴うことからである。
【０００３】
而して従来、小害虫を検出する装置としては、例えば飛翔昆虫の飛翔回数を精度よく検出してカウントできるよう、光電センサの応答速度を所定値に設定したことを特徴としているものがある（例えば特許文献１参照）。
【０００４】
しかしながらゴキブリやシロアリ等の節足動物は、地面や床面等を這うように移動し、また平面以外の、例えば曲面状の箇所を自由に移動するものである。
従って投光部と受光部とでなる光電センサによる従来品では、地面を這うように移動するこの種の小害虫の検出、計数を、確実に行うことができない、という問題点があった。
【特許文献１】特開２０００−２０９９９８号公報
【考案の開示】
【考案が解決しようとする課題】
【０００５】
本考案は、このような従来品の問題点に鑑み、提案されたものである。
従って本考案が解決しようとする技術的課題は、地面や床面等を伝わって移動する小害虫を、移動箇所が曲面や垂直面等でも制約を受けることなく検出できるよう形成した使い勝手の良い小害虫の検出装置を提供することにある。
【課題を解決するための手段】
【０００６】
本考案は、上記の課題を解決するため、次のような技術的手段を採る。
即ち本考案は、図１等に示されるように、小害虫１の通過を検出する検知部２と、この検知部２からの出力信号をカウントするカウンタ３と、このカウンタ３の計数値をデジタル表示する表示器４とを備え、上記の検知部２が、小害虫１の接触で通電する柔軟質の電極シートで形成されていることを特徴とする（請求項１）。
【０００７】
ここで、小害虫１とは、昆虫やムカデ等の、体形の小さい節足動物を意味する。本考案は、小害虫１の導電性を利用し、小害虫１が検知部２を通過したときだけ通電する。従ってこれによると、光電センサによる従来品に比べ、消費電力を少なくできる、という利点もある。
【０００８】
また本考案の場合、上記の電極シートは帯状に形成されているのが好ましい（請求項２）。
なぜならこれによると、根太や立木等の長尺状の検出箇所に設置し易くなり、一層使い勝手が良くなるからである。
【０００９】
また本考案は、携帯電話機７の接続用のジャック８と、このジャック８に接続されている携帯電話機７に、カウンタ３の計数値が設定値に至るとこの携帯電話機７に予め登録されている子機１０に電話するよう信号を出力する発信部９とを備えて形成されているのが好ましい（請求項３）。
【００１０】
なぜならこれによると、例えば定期的に検出値を読み取りに行く煩わしさを解消できるからである。またこれによると、ユーザは離れた場所で、設定値に至ると同時に小害虫１の通過情報を知ることができ、駆除対策等を迅速にたて易くなるからである。
【考案の効果】
【００１１】
本考案は、このように小害虫の通過を検出する検知部と、この検知部からの出力信号をカウントするカウンタと、このカウンタの計数値をデジタル表示する表示器とを備え、上記の検知部が、小害虫の接触で通電する柔軟質の電極シートで形成されているものである。
【００１２】
従って本考案を使用すれば、地面や床面等を伝わって移動する小害虫の通過を、移動面が曲面等でも制約を受けることなく検出できる、という実用上優れた効果を奏する。
また本考案は、小害虫の導電性を利用し、通過したときだけ通電するものである。
従ってこれによると、光電センサ等の方式に比べ、消費電力を低減できる、という利点もある。
【考案を実施するための最良の形態】
【００１３】
以下、本考案の好適な一実施形態を、添付図面に従って説明する。
本考案は、図１等に示されるように、例えばゴキブリ等の小害虫１の通過を検出する検知部２と、この検知部２からの出力信号をカウントするカウンタ３と、このカウンタ３の計数値をデジタル表示する表示器４とを備えて形成されている。
【００１４】
上記の検知部２は、小害虫１の接触で通電する柔軟質の電極シートで形成されている。この電極シートは、図２に示されるように、この実施形態では正負の一対の帯状シートで形成され、検出対象の小害虫１の体長に合わせて間隔があけられている。
【００１５】
またカウンタ３（図１参照）はＵＰカウンタで構成され、ハードケース状の装置本体部５内に納められている。装置本体部５は、上面に、計数値を表示する表示器４が設けられている。この表示器４は、７セグメント表示素子で構成され、計数動作中は、非表示で、小害虫１を検出したとき小数点を点灯し、９９９を超えたとき、小数点を順次表示（小数点で千の位表示）するよう形成されている。６は、表示点灯スイッチである。この実施形態では節電のため、この表示点灯スイッチ６を押したときだけ、計数値が表示器４に表示されるよう構成されている。
【００１６】
またこの実施形態の本考案品は、装置本体部５の側面に携帯電話機７の接続用のジャック８が設けられている。９は、カウンタ３の計数値が設定値に至ると、ジャック８に接続されている携帯電話機７に予め登録されている子機１０に電話するよう信号を出力する発信部である。
【００１７】
本考案品は、図４に示されるように、計数値が、レジスタに記憶されている設定値と比較判定され、設定値に至ると、携帯電話機７に通話開始信号が出力される。携帯電話機７には、予めユーザの電話番号が登録され、信号を受けると発信し、ユーザの子機１０としての携帯電話機の呼び出し音を、例えば一定回数だけ鳴らせて知らせるものである。
【００１８】
また１１（図１参照）は、小害虫１を捕獲するとスイッチが入るトラップである。この実施形態では、図４に示されるように、計数値が設定値に至ったとき、またはトラップ１１からのスイッチ入力があったとき、携帯電話機７の機能を利用して予め登録指定した電話番号に電話するよう構成されている。
【００１９】
本考案の装置は、このように所定の検査箇所に検知部２を設置し、この検知部２が小害虫１の通過を検出すると通電してオンになる。そしてこの検出信号が、カウンタ３でカウントされ、ユーザが表示点灯スイッチ６を押すことで、検出値が表示器４にデジタル表示される。
【００２０】
そこでユーザは、この値を読み取り、小害虫１の発生、生息状況等を把握し、このデータを消毒の必要性や駆除の規模の見積もり等に役立てる。そして例えば計数値が多い箇所には、多くの薬剤を散布し、少ない箇所には薬剤の散布を避け、例えばトラップ１１を施す等の対策を講じる。
またこの実施形態の本考案品は、計数値が設定値に至るか、またはトラップ１１のスイッチが入ると、親機である携帯電話機７からユーザの子機１０としての携帯電話機に電話がかかり、例えば一定時間コールして知らせるものである。
【００２１】
以上の処において、本考案の場合、携帯電話機７用のジャック８や、トラップ１１の有無は任意である。
また本考案の場合、検知部２の形状や大きさ等は、検知対象である小害虫１の種類やサイズ等に合わせて適宜選定されるので良い。
【図面の簡単な説明】
【００２２】
【図１】本考案の装置の好適な一実施形態を示す構成図である。
【図２】同上装置の要部回路図である。
【図３】同上装置の要部回路図である。
【図４】同上装置の作用を説明するためのフローチャートである。
【符号の説明】
【００２３】
１    小害虫
２    検知部
３    カウンタ
４    表示器
５    装置本体部
６    表示点灯スイッチ
７    携帯電話機
８    ジャック
９    発信部
１０  子機
１１  トラップ
【図１】
0003135594.tif 000003
【図２】
0003135594.tif 000004
【図３】
0003135594.tif 000005
【図４】
0003135594.tif 000006